(57)【要約】【課題】他物固定具と取付下地との間の断熱を行いながら、他物固定具に横方向の外力が作用しても、アンカー部材に曲げ力が作用しにくくする。【解決手段】取付下地２への第１固定部９を備えた下地側支持部分１２と、上側の固定対象である他物を固定自在な第２固定部１０を備えた他物支持部分１３とを設けてある他物固定具を、取付下地２に対してアンカー部材８を介して第１固定部９を固定することにより設置して、アンカー部材８を介して第１固定部９を固定する際に、第１固定部９と取付下地２との間に硬質断熱板１７を介在させ、取付下地２と硬質断熱板１７と第１固定部９とを共に一体に接着してある。【選択図】図２
2015014185.tif 000002
【特許請求の範囲】
【請求項１】
取付下地への第１固定部を備えた下地側支持部分と、
上側の固定対象である他物を固定自在な第２固定部を備えた他物支持部分とを設けてある他物固定具を、前記取付下地に対してアンカー部材を介して前記第１固定部を固定することにより設置してある他物固定具の設置構造であって、前記アンカー部材を介して前記第１固定部を固定する際に、前記第１固定部と前記取付下地との間に硬質断熱板を介在させ、
前記取付下地と前記硬質断熱板と前記第１固定部とを共に一体に接着してある他物固定具の設置構造。
【請求項２】
取付下地への第１固定部を備えた下地側支持部分と、
上側の固定対象である他物を固定自在な第２固定部を備えた他物支持部分とを設けてある他物固定具を、前記取付下地に対してアンカー部材を介して前記第１固定部を固定することにより設置してある他物固定具の設置構造であって、前記アンカー部材を介して前記第１固定部を固定する際に、前記第１固定部の下面側に金属製荷重分散板を介在し、前記金属製荷重分散板と前記取付下地との間に硬質断熱板を介在させ、
前記取付下地と前記硬質断熱板と前記金属製荷重分散板とを共に一体に接着してある他物固定具の設置構造。
【請求項３】
前記硬質断熱板は、ＪＩＳ  Ａ  ９５１１に規定の硬質ウレタンフォーム又は硬質ポリスチレンフォーム、ビーズ法ポリスチレンフォーム、ポリエチレンフォーム、フェノールフォーム、ビーズ発泡のポリプロピレン樹脂の他に、鉱物系の発泡ガラスからなるものである請求項１または２に記載の他物固定具の設置構造。
【請求項４】
前記硬質断熱板は、ＪＩＳ  Ａ  ９５１１に規定の硬質ウレタンフォーム又は硬質ポリスチレンフォーム、ビーズ法ポリスチレンフォーム、ポリエチレンフォーム、フェノールフォーム、ビーズ発泡のポリプロピレン樹脂の他に、鉱物系の発泡ガラスからなる硬質発泡断熱層を設けると共に、前記硬質発泡断熱層の少なくとも上面に前記硬質発泡断熱層よりも硬質の硬質板層を積層一体化した複合板である請求項１〜３のいずれか１項に記載の他物固定具の設置構造。
【発明の詳細な説明】
【技術分野】
【０００１】
本発明は、取付下地への第１固定部を備えた下地側支持部分と、上側の固定対象である他物を固定自在な第２固定部を備えた他物支持部分とを設けてある他物固定具を、取付下地に対してアンカー部材を介して前記第１固定部を固定することにより設置してある他物固定具の設置構造に関する。
【背景技術】
【０００２】
従来、他物固定具は、取付下地に対して第１固定部を直接載置してアンカー部材を介して固定するか、もしくは、取付下地全体に断熱のために軟質発泡樹脂シートからなる断熱マットを敷設した後に、その断熱マットの上に第１固定部を非接着状態で載置してアンカー部材を介して固定することが考えられていた（周知技術であるが、適切な文献が見当たらない）。  
【発明の概要】
【発明が解決しようとする課題】
【０００３】
上述した従来技術の前者の構造では、他物固定具を取付下地に安定して固定できるが、外気温が他物固定具を介して取付下地に伝熱するために、例えば取付下地が建築物の屋上部分等の場合、建築物の内部環境が悪くなる虞がある。また、取付下地の上に、断熱マットと同等の厚み分のコンクリート台を敷設し、そのコンクリート台を介して第１固定部を取付下地に固定する場合にも、上記と同様に、外気温が取付下地に伝熱する。
更に、後者の場合には、取付下地全体に敷設する前記断熱マットによって、取付下地が断熱されるために、建築物の一部に前記取付下地を形成する場合には、その建築物の内部環境を良好に維持できるが、他物固定具に横方向の外力が作用した場合には、前記断熱マットが弾性変形しやすいために、アンカー部材に曲げ力又は剪断力が作用し、アンカー部材が変形して、他物固定具の位置がズレル虞があった。
【０００４】
従って、本発明の目的は、上記問題点を解消し、他物固定具と取付下地との間の断熱を行いながら、他物固定具に横方向の外力が作用しても、アンカー部材に曲げ力が作用しにくくなる他物固定具の設置構造を提供するところにある。
【課題を解決するための手段】
【０００５】
本発明の第１の特徴構成は、取付下地への第１固定部を備えた下地側支持部分と、上側の固定対象である他物を固定自在な第２固定部を備えた他物支持部分とを設けてある他物固定具を、前記取付下地に対してアンカー部材を介して前記第１固定部を固定することにより設置してある他物固定具の設置構造であって、前記アンカー部材を介して前記第１固定部を固定する際に、第１固定部と前記取付下地との間に硬質断熱板を介在させ、前記取付下地と前記硬質断熱板と前記第１固定部とを共に一体に接着したところにある。
【０００６】
本発明の第１の特徴構成によれば、取付下地が建築物の一部である場合に、外気温が他物固定具を介して伝熱しようとしても、硬質断熱板により取付下地に伝わるのを断熱して防止できながら、取付下地と第１固定部とに共に硬質断熱板が接着することにより、例え他物固定具に横方向の外力が作用しても、硬質断熱板自身がその外力に対抗して支持力を発揮する。
つまり、例えば、硬質塩化ビニル板等の樹脂板を、取付下地と第１固定部との間に、非接着状態で介在させる場合、横方向の外力が作用すると、樹脂板と取付下地及び第１固定部とが相対的に横にズレ動きながら、樹脂板に形成されたアンカー部材の挿通孔が、変形又は破壊し、アンカー部材に曲げ力又は剪断力が作用するが、本発明のように、取付下地と第１固定部とに共に硬質断熱板が接着することにより、硬質断熱板が、取付下地及び第１固定部に対して相対的に横にズレ動くのを防止して、硬質断熱板に形成されたアンカー部材の挿通孔が、変形又は破壊するという不都合を防ぐことができる。
従って、挿通孔内で他物固定具を取付下地に固定しているアンカー部材に曲げ力又は剪断力が作用しにくくできる。
よって、他物固定具による他物の設置状態を安定して維持できる。
【０００７】
本発明の第２の特徴構成は、取付下地への第１固定部を備えた下地側支持部分と、上側の固定対象である他物を固定自在な第２固定部を備えた他物支持部分とを設けてある他物固定具を、前記取付下地に対してアンカー部材を介して前記第１固定部を固定することにより設置してある他物固定具の設置構造であって、前記アンカー部材を介して前記第１固定部を固定する際に、前記第１固定部の下面側に金属製荷重分散板を介在し、前記金属製荷重分散板と前記取付下地との間に硬質断熱板を介在させ、前記取付下地と前記硬質断熱板と前記金属製荷重分散板とを共に一体に接着したことにある。
【０００８】
本発明の第２の特徴構成によれば、前記第１固定部の下面側に金属製荷重分散板を介在することにより、他物からの荷重を分散して取付下地に伝えて、上からの応力集中を防止しながら、取付下地が建築物の一部である場合に、外気温が他物固定具を介して伝熱しようとしても、硬質断熱板により取付下地に伝わるのを断熱して防止できながら、前記金属製荷重分散板と前記取付下地との間に硬質断熱板を介在させ、前記取付下地と前記硬質断熱板と前記金属製荷重分散板とを共に一体に接着してあることにより、例え他物固定具に横方向の外力が作用しても、硬質断熱板自身がその外力に対抗して支持力を発揮する。
つまり、例えば、硬質塩化ビニル板等の樹脂板を、取付下地と第１固定部との間に、非接着状態で介在させる場合、横方向の外力が作用すると、樹脂板と取付下地及び第１固定部とが相対的に横にズレ動きながら、樹脂板に形成されたアンカー部材の挿通孔が、変形又は破壊し、アンカー部材に曲げ力又は剪断力が作用するが、本発明のように、取付下地と前記金属製荷重分散板とに共に硬質断熱板が接着することにより、硬質断熱板が、取付下地及び前記金属製荷重分散板に対して相対的に横にズレ動くのを防止して、硬質断熱板に形成されたアンカー部材の挿通孔が、変形又は破壊するという不都合を防ぐことができる。
尚、第１固定部と金属製荷重分散板との間には、横方向の外力が作用しても、金属製荷重分散板におけるアンカー部材の挿通孔には、金属製であるが故に変形や破壊は生じにくい。
従って、挿通孔内で他物固定具を取付下地に固定しているアンカー部材に曲げ力又は剪断力が作用しにくくできる。
よって、他物固定具による他物の設置状態を安定して維持できる。
【０００９】
本発明の第３の特徴構成は、前記硬質断熱板は、ＪＩＳ  Ａ  ９５１１に規定の硬質ウレタンフォーム又は硬質ポリスチレンフォーム、ビーズ法ポリスチレンフォーム、ポリエチレンフォーム、フェノールフォーム、ビーズ発泡のポリプロピレン樹脂の他に、鉱物系の発泡ガラスからなるものである。
【００１０】
本発明の第３の特徴構成によれば、硬質断熱材によるアンカー部材の支持状態や、断熱機能を十分発揮することが可能となる。
【００１１】
本発明の第４の特徴構成は、前記硬質断熱板は、ＪＩＳ  Ａ  ９５１１に規定の硬質ウレタンフォーム又は硬質ポリスチレンフォーム、ビーズ法ポリスチレンフォーム、ポリエチレンフォーム、フェノールフォーム、ビーズ発泡のポリプロピレン樹脂の他に、鉱物系の発泡ガラスからなる硬質発泡断熱層を設けると共に、前記硬質発泡断熱層の少なくとも上面に前記硬質発泡断熱層よりも硬質の硬質板層を積層一体化した複合板である。
【００１２】
本発明の第４の特徴構成によれば、本発明の第１の特徴構成による上述の作用効果を叶えることができるのに加えて、他物から伝わる偏荷重による応力集中に伴って、硬質発泡断熱層の局部変形や局部圧縮等を防止して、応力の分散を可能にできる。
【図面の簡単な説明】
【００１３】
【図１】他物固定具による固定状態を示す全体斜視図である。
【図２】設置前の分解斜視図である。
【図３】設置後の全体斜視図である。
【図４】設置状態の縦断面図である。
【図５】別実施形態の縦断面図である。
【図６】別実施形態の縦断面図である。
【図７】別実施形態の他物固定具の全体斜視図である。
【図８】別実施形態の縦断面図である。
【発明を実施するための形態】
【００１４】
以下に本発明の実施の形態を図面に基づいて説明する。
図１〜図４に示すように、本発明の他物固定具の一実施形態品（以後、単に固定台１という）を使用して、屋上のコンクリート床やベランダ等の建築物（取付下地２の一例）の上に、ソーラーパネル４やその固定枠５等の固定対象部材（他物の一例）３を固定してある状況を示している。
【００１５】
前記コンクリート床２の上には、その全域に軟質発泡樹脂からなる断熱マット１５を敷設してある。
当該実施形態においては、コンクリート床２の全域に断熱マット１５が敷設してある状態で、固定台設置箇所に固定台１を設置して、固定対象部材３を固定台１に固定してある例を示している。従って、固定台１を設置した後、その周囲に、図４に示すように、固定台１の外周部にわたる状態に立上り防水層７を設置し、その上端部をバンド２９で縛ると共に、シール剤３０を塗布して雨水の浸入を防止して、固定台設置部分から下方への漏水防止を図っている。
【００１６】
前記固定対象部材３は、形鋼をトラス構造に組みあげた固定枠５と、固定枠５の上面に沿って取り付けられたソーラーパネル４とを備えて構成してあり、固定枠５が、固定台１にボルト１９とナットＮとで固定されている。
前記固定枠５は、ソーラーパネル４を傾斜姿勢に支持する構造に形成してあり、ソーラーパネル４が効率よく太陽光を受光できるように構成してある。
【００１７】
前記固定台１は、図２〜図４に示すように構成してある。
つまり、下端部にコンクリート床２への第１固定部９を設け、上端部に固定対象部材３の固定枠５を固定する第２固定部１０を設け、全体を鉄系材やアルミニウム等の金属製で形成して、第１固定部９を備えた下地側支持部分１２と、第２固定部１０を備えた他物支持部分１３とに上下に分割構成し、下地側支持部分１２の上端部と、他物支持部分１３の下端部とに、相互に第１ボルト２０を介して連結自在な連結部２１を設け、連結部２１の内、下地側支持部分１２の第１連結部３１に上下に沿った第１ボルト挿通用長孔３３を形成し、他物支持部分１３の第２連結部３２に、丸孔の第１ボルト挿通孔３４を形成して、第１ボルト２０及びナットＮによる締め付けにより、下地側支持部分１２に対する他物支持部分１３の相対連結姿勢が、上下及び傾斜自在になるように構成してある。
尚、第１連結部３１と第２連結部３２の互いに接触する面には、リン酸亜鉛の被覆層や、凹凸の溝、多数の凸部等を形成して滑り止め機能を持たせてある。
また、図中３７は屋根部で、下地側支持部分１２の内側に雨水が侵入するのを防止してある。
【００１８】
前記下地側支持部分１２を固定台設置箇所に固定するのに、第１固定部９を載置する面積分の断熱マット１５を切り欠き、その切り欠き部１６に、切り欠き部１６相当の大きさの硬質断熱板１７を嵌め込んで設置し、取付下地２と硬質断熱板１７との間をエポキシ樹脂や変性シリコン樹脂、ウレタン系接着剤等の接着剤１８によって接着固定する。
尚、前記硬質断熱板１７は、ＪＩＳ  Ａ  ９５１１：２００６Ｒ（発泡プラスチック保温材）で規定される「Ａ種硬質ウレタンフォーム保温材」や、「Ａ種押出法ポリスチレンフォーム保温材」、ビーズ法ポリスチレンフォーム、ポリエチレンフォーム、フェノールフォーム、ビーズ発泡（１０〜１５倍発泡）のポリプロピレン樹脂（ＰＰ）等の他に、鉱物系の発泡ガラスが使用され、圧縮強さ１０Ｎ／ｃｍ2以上を備える。
つまり、前記硬質断熱板１７は、建築物のコンクリート床よりも断熱性が高く、取付下地全体に敷設する軟質発泡樹脂シートよりも、剪断強度（圧縮強さで代用される）の高い材料であればよい。
【００１９】
次に、取付下地２に固定された硬質断熱板１７の上に第１固定部９を載置し、第１固定部９の下面と硬質断熱板１７の上面とを、前記接着剤１８によって接着固定する。
更に、第１固定部９は、皿ビスやボルト等のアンカー部材８を第１固定部９に形成したアンカー部材挿通孔１１に挿通させて取付下地に固定する。
【００２０】
〔別実施形態〕
以下に他の実施の形態を説明する。
【００２１】
〈１〉  前記硬質断熱板１７は、硬質発泡樹脂以外に、無発泡の樹脂や、木質材又は、木質材に樹脂を被覆したもの等を使用することもできる。
〈２〉  前記硬質断熱板１７に、前述の硬質発泡樹脂を使用する場合には、その硬質発泡樹脂層の上面に、スレート板等の硬質板層を積層一体化した複合板を使用することも考えられ、この場合、他物から伝わる偏荷重による応力集中に伴って、硬質発泡樹脂の局部変形や局部圧縮等を防止して、応力の分散を可能にできる。尚、硬質発泡樹脂層の下面にも前記硬質板層を積層一体化してあってもよい。また、スレート板等の硬質板層に代えて、紙、金属板、織布、不織布等であってもよく、硬質断熱板１７の寸法安定性、反り防止、吸湿防止、表面強度向上、接着性能工場等の目的で用いられる。
〈３〉  前記下地側支持部分１２は、図４に示すように、下部に第１固定部９を備え、且つ、上部に第１連結部３１を一連一体に備えたもの以外に、図５に示すように、第１固定部９を備えた接地部材３６と、第１連結部３１を備えた上部支持部材３８とに互いに連結自在に分割構成してあるものでもよい。
〈４〉  別の他物固定具の設置構造において、取付下地への第１固定部を備えた下地側支持部分と、上側の固定対象である他物を固定自在な第２固定部を備えた他物支持部分とを設けてある他物固定具を、前記取付下地に対してアンカー部材を介して前記第１固定部を固定することにより設置し、前記アンカー部材を介して前記第１固定部を固定する際に、図６に示すように、第１固定部９の下面側に金属製荷重分散板３９を介在し、金属製荷重分散板３９と取付下地２との間に硬質断熱板１７を介在させ、取付下地２と硬質断熱板１７と金属製荷重分散板３９とを共に一体に接着してある構造でもよい。この場合、第１固定部９と金属製荷重分散板３９との接触面間は、互いに接着する構造以外に、互いに係合して横方向の外力に対抗する構造や、双方のアンカー部材８の挿通孔部同士が互いに嵌合する構造になっていたりして、水平方向の荷重によるズレが生じない構造になっていれば、互いに接着していなくてもよい。
〈５〉  図７及び図８に示すように、下地側支持部分１２と他物支持部分１３とは、分割せずに一体形成したものでもよい。尚、図中Ｈ１は、第一開口部で、この第一開口部Ｈ１を通してアンカー部材８の固定操作を筒外方から実施できるように構成されている。図中のスライド筒部材６は、下方側にスライドさせることで各第一開口部Ｈ１を閉塞できるように寸法設定してある。この閉塞状態においては、立上がり防水層７の立上部分をこのスライド筒部材６の外周面に固定することで、固定台１周囲の防水を行える。
また、アンカー部材８に対する固定操作の際には、このスライド筒部材６を上方側にスライドさせることで、各第一開口部Ｈ１を全開状態にでき、第一開口部Ｈ１を通した固定操作を効率よく実施することができる。図中Ｈ２は、第二開口部で、この第二開口部Ｈ２を通してボルト９の固定操作を筒外方から実施できるように構成されている。
また、第二開口部Ｈ２の下端部に接する状態に、他物支持部分１３の内空部を上下に遮断する隔壁部２３が設けてある。
隔壁部２３の上面は、第二開口部Ｈ２に向けて下り勾配に形成してある。
従って、第二開口部Ｈ２を通して他物支持部分１３の内空部に水が浸入しても、隔壁部２３によって水を遮断して下方の内空部への漏水を防止できると共に、浸入水を、下り勾配の上面に沿わせて第二開口部Ｈ２から外部に速やかに排出することができる。図中２４は、筒周方向に沿って一体に設けてある水切りフランジである。従って、通常の雨水や、隔壁部２３の下り勾配によって筒外に排出された水を、この水切りフランジ２４によって筒径方向の外側へ誘導でき、水が水切りフランジ２４より下方の筒周面部をつたって流下するのを防止できる（水切り効果）。その結果、固定台１の設置箇所から水を遠ざけて、防水性能の向上を援護できる。
【００２２】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２３】
２      取付下地
３      他物
８      アンカー部材
９      第１固定部
１０    第２固定部
１２    下地側支持部分
１３    他物支持部分
１７    硬質断熱板
２０    第１ボルト
２１    連結部
３９    金属製荷重分散板
【図１】
2015014185.tif 000003
【図２】
2015014185.tif 000004
【図３】
2015014185.tif 000005
【図４】
2015014185.tif 000006
【図５】
2015014185.tif 000007
【図６】
2015014185.tif 000008
【図７】
2015014185.tif 000009
【図８】
2015014185.tif 000010